(57)【特許請求の範囲】
【請求項１】
主配管（１）と、主配管の一端の液流の入口（１０１）と、該主配管の他端に洗浄槽の給水口連接の出口（１０２）とを備えた洗剤投入制御器において、
弁Ａ（２）と、弁Ｂ（３）と、弁Ｃ（４）と、弁Ｄ（５）と、ポンプ（６）と、ノズル（７）とを設け、該弁Ａの入口は該主配管の側口Ａ（ａ）と通連し、該弁Ｂの入口は洗剤Ａの液貯蔵箱と通連し、該弁Ａと該弁Ｂの出口は該弁Ｃの入口と通連し、該弁Ｄの入口は洗剤Ｂの液貯蔵箱と通連し、該弁Ｃと該弁Ｄの出口は該ポンプの入口（６０１）と通連し、該ポンプの出口（６０２）は主配管の側口Ｂ（ｂ）と通連し、該主配管の側口Ａと側口Ｂとの相対位置は側口Ａが該主配管の入口（１０１）に近く、側口Ｂが該主配管の出口（１０２）に近く、該ノズルが該主配管の側口Ａと側口Ｂの間に連結し、該ノズルの入口が該主配管の入口に向かい、該ノズルの出口が該主配管の出口に向かうことを特徴とする洗剤投入制御器。
【請求項２】
集成弁を備え、該弁Ａと、該弁Ｂと、該弁Ｃと、該弁Ｄを該集成弁に設け、該弁Ａは入口Ａ（２０１）と弁座Ａ（２０２）を有し、該弁Ｂは入口Ｂ（３０１）と弁座Ｂ（３０２）を有し、該弁Ｃは入口Ｃ（４０１）と弁座Ｃ（４０２）を有し、該弁Ｄは入口Ｄ（５０１）と弁座Ｄ（５０２）を有し、該集成弁は空間一（１０）と空間二（１４）を有し、該弁座Ａが開の状態では該空間一は入口Ａと通連し、該弁座Ｃが開の状態では該空間一と該空間二は通連し、該空間二は出口（１４０１）を有し、
該集成弁は電磁弁組一と電磁弁組二から構成され、
電磁弁組一は電磁巻線一（１３）を有し、該電磁巻線一内のポールピース内にアマチュア一（１２）を設置し、アマチュアの先端にアマチュアシート一（１１）を有し、
電磁弁組二は電磁巻線二（１７）を有し、該電磁巻線二内のポールピース内にアマチュア二（１６）を設置し、アマチュアの先端にアマチュアシート二（１５）を有し、
前述の弁Ａと弁Ｂが該電磁弁組一に対応し、該弁座Ａ（２０２）と該弁座（３０２）が該集成弁の空間一（１０）の内部に設け同じ軸線で一定距離に対向し設置しており、該電磁弁組一の該アマチュアシート一が該弁座Ａと該弁座Ｂと該一定距離内にあり、しかも通常状態では該アマチュアシート一が該弁座Ｂを閉、該弁座Ａを開とし、
該弁Ｃと該弁Ｄが該電磁弁組二に対応し、該弁座Ｃ（４０２）と該弁座Ｄ（５０２）が該集成弁の空間二（１４）の内部に設け同じ軸線で一定距離に対向し設置しており、該電磁弁組二の該アマチュアシート二が該弁座Ｃと該弁座Ｄと該一定距離内にあり、しかも通常状態では該アマチュアシート二が該弁座Ｄを閉、該弁座Ｃを開としたことを特徴とする請求項１記載の洗剤投入制御器。
【請求項３】
集成体を備え、該集成体に該ポンプと、ノズルに接続される主配管と、集成弁を設け、該入口Ａ（２０１）は側口Ａ（ａ）と通連し、入口Ｃ（４０１）は空間一（１０）と通連し、空間二の出口（１４０１）は該ポンプの入口（６０１）と通連することを特徴とする請求項２記載の洗剤投入制御器。
【請求項４】
該主通路は該集成体の上部右側にあり、該ポンプが該集成体の上部左側にあり、該集成弁は該集成体の下部にあり、該ポンプはモータ（６０１）を有することを特徴とする請求項３記載の洗剤投入制御器。
【請求項５】
主配管（１）と、主配管の一端の液流の入口（１０１）と、主配管の他端の洗浄槽の洗剤投入口を連接する出口（１０２）と備えた洗剤投入制御器において、
弁Ａ（２）と、弁Ｂ（３）と、弁Ｃ（４）と、弁Ｄ（５）と、弁Ｅと、弁Ｆと、ポンプ（６）と、ノズル（７）を設け、該弁Ａの入口は該主配管の側口Ａ（ａ）と通連し、該弁Ｂの入口は洗剤Ａの液貯蔵箱と通連し、該弁Ａと該弁Ｂの出口は該弁Ｃの入口と通連し、該弁Ｄの入口は洗剤Ｂの液貯蔵箱と通連し、該弁Ｃと該弁Ｄの出口は該弁Ｅの入口と通連し、該弁Ｆの入口は洗剤の液貯蔵箱Ｃと通連し、該弁Ｅと該弁Ｆの出口は該ポンプの入口（６０１）と通連し、該ポンプの出口（６０２）は該主配管の側口Ｂ（ｂ）と通連し、該主配管の該側口Ａと該側口Ｂの相対位置は側口Ａが主配管の入口（１０１）に近く、側口Ｂが主配管の出口（１０２）に近く、ノズルが主配管の側口Ａと側口Ｂの間に位置し、
該ノズルの入口が該主配管の入口に向かって、該ノズルの出口が該主配管の出口に向かうことを特徴とする洗剤投入制御器。
【請求項６】
集成弁を備え、該弁Ａと、弁Ｂと、弁Ｃと、弁Ｄと、弁Ｅと、弁Ｆを該集成弁に設け、該弁Ａと、該弁Ｂと、該弁Ｃと、該弁Ｄと、該弁Ｅと、該弁Ｆはそれぞれ弁座Ａと、弁座Ｂと、弁座Ｃと、弁座Ｄと、弁座Ｅと、弁座Ｆを有し、該集成弁は空間一と、空間二と、空間三とを有し、弁座Ａが開の状態で空間一と弁Ａの入口が通連し、弁座Ｃが開の状態で空間一と空間二が通連し、弁座Ｅが開の状態で空間二と空間三が通連し、空間三は出口を有し、該集成弁は電磁弁組一と電磁弁組二と電磁弁組三とで構成され、
該電磁弁組一は電磁巻線一を有し、該電磁巻線一内のポールピース内にアマチュア一が設置され、アマチュア一の先端にアマチュアシート一を有し、
該電磁弁組二は電磁巻線二を有し、該電磁巻線二内のポールピース内にアマチュア二が設置され、アマチュア二の先端にアマチュアシート二を有し、
該電磁弁組三は電磁巻線三を有し、該電磁巻線三内のポールピース内にアマチュア三が設置され、アマチュア三の先端にアマチュアシート三を有し、
該弁Ａと該弁Ｂが該電磁弁組一に対応し、該弁座Ａと該弁座Ｂを該集成弁の空間一の内部に設け同じ軸線で一定距離に対向し設置しており、該電磁弁組一の該アマチュアシート一が該弁座Ａと該弁座Ｂと該一定距離内にあり、通常状態では該アマチュアシート一が該弁座Ｂを閉、該弁座Ａを開とし、
該弁Ｃと該弁Ｄが該電磁弁組二に対応し、該弁座Ｃと該弁座Ｄを該集成弁の空間二の内部に設け同じ軸線で一定距離に対向し設置しており、該電磁弁組二の該アマチュアシート二が該弁座Ｃと該弁座Ｄと該一定距離内にあり、通常状態では該アマチュアシート二が該弁座Ｄを閉、該弁座Ｃを開とし、
該弁Ｅと該弁Ｆが該電磁弁組三に対応し、該弁座Ｅと該弁座Ｆを該集成弁の空間三の内部に設け同じ軸線で一定距離に対向し設置しており、該電磁弁組三の該アマチュアシート三が該弁座Ｅと該弁座Ｆと該一定距離内にあり、通常状態では該アマチュアシート三が該弁座Ｆを閉、該弁座Ｅを開とすることを特徴とする請求項５記載の洗剤投入制御器。
【発明の詳細な説明】
【技術分野】
【０００１】
本発明の洗剤の投入制御器は、電気洗濯機や電気食器洗い器などの電気洗浄機の洗剤投入制御器に係るものである。
【背景技術】
【０００２】
現有技術では、電気洗濯機、電気食器洗い機などの洗浄設備の液体洗剤（或いは柔軟剤、軟化剤、殺菌液など）の添加は、使用者が予め液体洗剤を指定の容器内部に入れ、洗浄設備が洗浄の過程に通過水、或いはその他の機械的方法で該洗剤を洗浄槽に投入する。この方法では、洗剤の投入量は使用者の操作に随意性があり、毎回の洗浄の度に洗剤を容器内部に添加する必要がある。洗剤液体化の増加に伴い、洗浄設備に多量の洗剤を一括に投入する傾向になり、そのような使用者は、洗浄中に一定量の洗剤を投入することも可能で、よって、使用者の面倒を減少するだけではなく、洗浄物の種類と量は同一でないことから、洗剤投入量の自動調整が望ましい。従って、洗浄設備に洗剤自動投入装置の搭載は今後の発展方向になる。
【０００３】
日本国特開昭６１−１７２５９４では、空気ポンプを通過した容器内に充満した液体洗剤に制御弁を開とし一定時間圧力を加えることにより、液体洗剤投入量を制御する技術が公開されている。また、日本国特開２０００−３３４１９７では、容器に充填された液体洗剤に常時加圧をしておき、液体洗剤を容器から圧出する技術が公開されている。これらの技術では、使用者は液体洗剤槽に一杯に入れ密封する必要がある。もし密封不良が出れば、ポンプの圧力は漏れる。また、ポンプの圧力が同じで、液体洗剤の粘度が違えば、流動スピードは低下し、投入は不正確になる。さらに、ポンプの騒音が洗浄設備の騒音目標に影響する。
【０００４】
中国市場では、洗浄設備の底部に液体洗剤箱を備え、ギアポンプの圧力で液体洗剤を圧送あるいは吸引により洗浄設備頂部の水盆に送り、さらに洗浄槽に入れる技術がある。この技術では、ギアポンプが常に洗剤の中にあるので、洗剤終了時、ポンプ内に残留した洗剤が乾燥して固結し、再度使用時、過大な減衰が起こってギアポンプの歯車の回転を阻害することになる。そして、ギアポンプの動作音があり、洗浄設備の騒音管理に影響する。また、該方案は洗剤粘度のバラツキのため投入速度に差異が生じ、投入誤差の問題になる。
【０００５】
日本国特開平１１−０１９３９１では、洗濯機内にポンプと、該ポンプが洗濯機の洗浄槽内の水又は浴槽内の水を吸い洗浄槽内の管路に設置した負圧発生装置のあるノズルと、ノズル上の負圧発生装置とを設け、ポンプから出水すると同時に、ノズルの負圧作用を利用し、洗剤を主水流に吸入し、混合後洗浄槽内に投入する。該技術では上記の技術の密封の問題とギアポンプの洗剤固結の問題は解決されるが、所定圧力を提供できるポンプを設置することが前提で、このコストは高い。
【０００６】
ＣＮ２０１２５８４０９Ｙの文献では、同様に水流の負圧作用の装置に関わる技術が公開されている。水道水の負圧を利用したもので、その負圧の大小は水道水の圧力と流量に関わる。洗浄設備にある電磁弁の給水で起こった負圧を利用したとき、その負圧の変動範囲が非常に大きく、洗剤の投入精度の制御は難しくなる。
【０００７】
該方案の実施例１は上記問題の克服を希求したが、洗剤が充填された計量箱は負圧源と計量空間との切断状態で、計量箱内に残存する負圧で洗剤を吸引するので、負圧不足時では、計量空間は充満できないので、投入精度が高くなく、計量箱の密封不良の状況下では、投入誤差が更に大きくなる。計量箱内の洗剤は負圧によって主水流中に吸い込まれ充填される、弁から配管までに洗剤の残留があり、これらの洗剤が濃縮や固結により洗剤の流動を阻害し、最終的には投入効果に影響を与える。
【０００８】
ＣＮ１０３３９７４９６Ａで公開の液体洗剤投入装置は、主配管と、弁Ａと、弁Ｂと、弁Ｃと、弁Ｄと、流体容器と、回流路と、ベンチュリ負圧発生器から構成され、該装置は構造が簡単で、体積が小さく、取り付けと使用が便利で、洗剤投入精度が高く、設備内に洗剤が残り難い特徴があり、水／洗剤の混合液は弁Ｃの出口あるいは弁Ｃと弁Ｄの出口の流体容器を通過し、流体容器内の液体は回流路を通ってベンチュリ負圧発生器を通過し、ベンチュリ負圧発生器の出口が主配管の入口と通連し、従って、水／洗剤の混合液が主配管を経て洗浄槽に入るとき、容易に前記混合液の一部分が主配管と貫通される弁Ａの入口を経て洗剤投入の循環区に分流させることができ、投入量の誤差や投入効率差の問題に至り、そして、該装置の流体容器の体積が相対的に大きいので、流体容器にある水／洗剤の混入液が流れで洗い落とされる効率は低く、水／洗剤の混合液が短時間内に洗い流すことができなくなる。
【先行技術文献】
【特許文献】
【０００９】
【特許文献１】特開昭６１−１７２５９４号公報
【特許文献２】特開２０００−３３４１９７号公報
【特許文献３】特開平１１−０１９３９１号公報
【特許文献４】中国実用新案公告第ＣＮ２０１２５８４０９Ｙ号公報
【特許文献５】中国特許公開第１０３３９７４９６Ａ号公報（ＰＣＴ／ＣＮ２０１４／８１８６２）
【発明の概要】
【発明が解決しようとする課題】
【００１０】
本発明は、従来の洗浄設備に搭載される液体洗剤投入装置において、構造が比較的複雑で、投入精度が精確でなく、洗剤の残留固結により引き起こす設備運行阻害、および、洗剤投入効率低下の問題を解決するものである。本発明の洗剤投入制御器は、構造が簡単で、体積が小さく、取り付けと使用が便利で、設備内の洗剤が残りにくく、投入精度が高く、投入効率も高いものである。
【課題を解決するための手段】
【００１１】
上記問題を解決する為に、本発明が採用する技術は、弁Ａと、弁Ｂと、弁Ｃと、弁Ｄを有する第一方案と、弁Ａと、弁Ｂと、弁Ｃと、弁Ｄと、弁Ｅと、弁Ｆを有する第二方案である。
【００１２】
本発明の上記第一方案は、主配管と、該主配管の一端の液流の入口と、該主配管の他端に洗浄槽の給水口連接の出口とを備え、弁Ａと、弁Ｂと、弁Ｃと、弁Ｄと、ポンプとノズルとを設け、該弁Ａの入口は該主配管の側口Ａと通連し、該弁Ｂの入口は洗剤Ａの液貯蔵箱と通連し、該弁Ａと該弁Ｂの出口は該弁Ｃの入口と通連し、該弁Ｄの入口は洗剤Ｂの液貯蔵箱と通連し、該弁Ｃと該弁Ｄの出口は該ポンプの入口と通連し、ポンプの出口は該主配管の側口Ｂと通連し、該主配管の側口Ａと側口Ｂの相対位置は側口Ａが該主配管の入口に近く、側口Ｂが該主配管の出口に近く、該ノズルが該主配管の側口Ａと側口Ｂの間に連結し、該ノズルの入口が該主配管の入口に向かい、該ノズルの出口が該主配管の出口に向かうことを特徴とする。
【００１３】
本発明の最適化例は集成弁を設け、該集成弁に前記の弁Ａと、弁Ｂと、弁Ｃと、弁Ｄを設置し、該弁Ａは入口Ａと弁座Ａを有し、該弁Ｂは入口Ｂと弁座Ｂを有し、該弁Ｃは入口Ｃと弁座Ｃを有し、該弁Ｄは入口Ｄと弁座Ｄを有し、該集成弁は空間一と空間二を有し、該弁座Ａが開の状態では該空間一と入口Ａを通連し、該弁座Ｃが開の状態では該空間一と該空間二が通連し、該空間二は出口を有し、該集成弁は電磁弁組一と電磁弁組二を有し、電磁弁組一は電磁巻線一と、電磁巻線一内のポールピース内に設置したアマチュア一と、アマチュア一の先端にアマチュアシート一とを有し、電磁弁組二は電磁巻線二と、電磁巻線二内のポールピース内に設置したアマチュア二と、アマチュア二の先端にアマチュアシート二とを有する。
【００１４】
また、前記弁Ａと弁Ｂが電磁弁組一に対応し、該弁座Ａと該弁座Ｂが該集成弁の空間一の内部に設け同じ軸線で一定距離に対向し設置しており、該電磁弁組一の該アマチュアシート一が該弁座Ａと該弁座Ｂと該一定距離内にあり、しかも通常状態では該アマチュアシート一が該弁座Ｂを閉、該弁座Ａを開とし、該状態は電磁巻線一が無通電状態である。
【００１５】
また、前記弁Ｃと弁Ｄが電磁弁組二に対応し、該弁座Ｃと該弁座Ｄが該集成弁の空間二の内部に設け同じ軸線で一定距離に対向し設置しており、該電磁弁組二の該アマチュアシート二が該弁座Ｃと該弁座Ｄと該一定距離内にあり、しかも通常状態では該アマチュアシート二が該弁座Ｄを閉、該弁座Ｃを開とし、該状態は電磁巻線二が無通電状態である。
【００１６】
本発明の最適化例は集成体を設け、前記ポンプと、ノズルが接続された主配管と集成弁とで構成される集成体は、前記入口Ａが側口Ａと通連し、入口Ｃが空間一と通連し、空間二の出口が該ポンプの入口と通連する。
【００１７】
前記主配管は該集成体の上部右側に設置可能で、ポンプは集成体の上部左側に設け、集成弁は集成体の下部に設け、前記ポンプはモータを有する。
【００１８】
本発明の前記第二方案は、主配管と、主配管の一端の液流の入口と、該主配管の他端に洗浄槽の給水口連接の出口とを備え、弁Ａと、弁Ｂと、弁Ｃと、弁Ｄと、弁Ｅと、弁Ｆと、ポンプと、ノズルとで構成し、該弁Ａの入口が前記主配管の側口Ａと通連し、該弁Ｂの入口が洗剤Ａの液貯蔵箱と通連し、該弁Ａと該弁Ｂの出口が該弁Ｃの入口と通連し、該弁Ｄの入口が洗剤Ｂの液貯蔵箱と通連し、該弁Ｃと該弁Ｄの出口が該弁Ｅの入口と通連し、該弁Ｆの入口が洗剤Ｃの液貯蔵箱と通連し、該弁Ｅと該弁Ｆの出口が該ポンプの入口と通連し、該ポンプの出口が該主配管の側口Ｂと通連し、主配管の前記側口Ａと側口Ｂの相対位置は、側口Ａが主配管の入口に近く、側口Ｂは主配管の出口に近くで、該ノズルは該主配管の側口Ａと側口Ｂの間に連結し、該ノズルの入口が該主配管の入口に向かい、該ノズルの出口が該主配管の出口に向かうことを特徴とする。
【００１９】
本発明の最適化例は集成弁を設け、集成弁に前記弁Ａと、弁Ｂと、弁Ｃと、弁Ｄと、弁Ｅと、弁Ｆを設置し、弁Ａと、弁Ｂと、弁Ｃと、弁Ｄと、弁Ｅと、弁Ｆはそれぞれ弁座Ａと、弁座Ｂと、弁座Ｃと、弁座Ｄと、弁座Ｅと、弁座Ｆを有し、該集成弁は空間一と、空間二と、空間三を有し、弁座Ａが開状態で空間一と弁Ａの入口が通連し、弁Ｃが開状態で空間一と空間二が通連し、弁Ｅが開状態で空間二が空間三が通連し、空間三には出口があり、該集成弁は電磁弁組一と、電磁弁組二と、電磁弁組三を設け、電磁弁組一は電磁巻線一と、電磁巻線一内のポールピース内に設置したアマチュア一と、アマチュア一の先端にアマチュアシート一を有し、電磁弁組二は電磁巻線二と、電磁巻線二内のポールピース内に設置したアマチュア二と、アマチュア二の先端にアマチュアシート二を有し、電磁弁組三は電磁巻線三と、電磁巻線三内のポールピース内に設置したアマチュア三と、アマチュア三の先端にアマチュアシート三を有する。
【００２０】
また、前記弁Ａと弁Ｂが電磁弁組一に対応し、該弁座Ａと該弁座Ｂが該集成弁の空間一の内部に設け同じ軸線で一定距離に対向し設置しており、該電磁弁組一の該アマチュアシート一が該弁座Ａと該弁座Ｂと該一定距離内にあり、しかも通常状態では該アマチュアシート一が該弁座Ｂを閉、該弁座Ａを開とし、該状態は電磁巻線一が無通電状態である。
【００２１】
また、前記弁Ｃと弁Ｄが電磁弁組二に対応し、該弁座Ｃと該弁座Ｄが該集成弁の空間二の内部に設け同じ軸線で一定距離に対向し設置しており、該電磁弁組二の該アマチュアシート二が該弁座Ｃと該弁座Ｄと該一定距離内にあり、しかも通常状態では該アマチュアシート二が該弁座Ｄを閉、該弁座Ｃを開とし、該状態は電磁巻線二が無通電状態である。
【００２２】
また、前記弁Ｅと弁Ｆが電磁弁組三に対応し、該弁座Ｅと該弁座Ｆが該集成弁の空間三の内部に設け同じ軸線で一定距離に対向し設置しており、該電磁弁組三の該アマチュアシート三が該弁座Ｅと該弁座Ｆと該一定距離内にあり、しかも通常状態では該アマチュアシート三が該弁座Ｆを閉、該弁座Ｅを開とし、該状態は電磁巻線三が無通電状態である。
【００２３】
本発明の前記洗剤は液体洗剤である。本発明の前記第一方案中、前記洗剤Ａは一種の洗剤であり、洗剤Ｂは他の一種の洗剤である。本発明中の弁Ｂは洗剤Ａの投入に用い、弁Ｄは洗剤Ｂの投入に用いる。本発明は洗剤Ａと洗剤Ｂの同時投入が可能で、洗剤Ａ或いは洗剤Ｂの単独投入も可能である。
【００２４】
本発明の使用操作順序は、主配管入口の給水の過程に、まず弁Ａと弁Ｃを開、弁Ｂと弁Ｄを閉とし、給水水流の一部分の分流水が弁Ａと、弁Ｃとポンプの入口と出口を通過し主配管で再び集まり、給水の水と一緒に混ざり洗濯槽に入り、この分流環状路の水流作用はポンプおよび関係流路を洗い流す事で、本発明の洗剤の残留固結を防止に使用される。洗浄終了後、弁Ａを閉、弁Ｂと／又は弁Ｄを開とし、洗剤Ａと／又は洗剤Ｂの液貯蔵箱の洗浄は弁Ｂと、弁Ｃと／又は弁Ｄを通過しポンプに流入し、この前送り込んだ洗い流す水と混合し、さらに給水した水流と混合し洗濯槽に入って、洗剤Ａと／又は洗剤Ｂの投入を実現させる。
【００２５】
本発明の主配管の水流の少量の分流水は弁Ａと、弁Ｃと、ポンプを順次通過し、給水した水と合流し洗濯槽に入り、ポンプ及び関係流路を洗い流すことができ、本発明の洗剤の残留固結の影響を防止する為に使用される。前記洗剤投入制御器は二連（二組）で、弁Ａと弁Ｂの一組と、弁Ｃと弁Ｄの別の一組で構成される。本発明は同様の原理に基づき、三連構造にする事ができ、すなわち、前記二連構造を基に弁Ｅと弁Ｆを増設すれば良い。
【００２６】
本発明の三連構造は、二連構造と比較し、使用範囲が更に広い。
【００２７】
同様の原理で、本発明は三連以上にすることもできる。例えば、四連の場合、三連構造を基礎に弁Ｇと弁Ｈを増加し、この構造では、弁Ｅと弁Ｆの出口が弁Ｇの入口と通連し、弁Ｈの入口は洗剤Ｄの液貯蔵箱と通連する。
【００２８】
下記付図と具体的実施例を用いて、本発明を詳細に説明する。
【図面の簡単な説明】
【００２９】
【図１】図１は、本発明の２連構成の概略図。
【図２】図２は、本発明の３連構成の概略図。
【図３】図３は、本発明の２連構成一実施例の集成弁の外観図。
【図４】図４は、図３のＡ−Ａ断面図。
【図５】図５は、本発明の２連構成一実施例の概略図。
【図６】図６は、図５のＦ矢視図。
【図７】図７は、図６のＡ−Ａ断面図。
【図８】図８は、図６のＢ−Ｂ断面図。
【図９】図９は、図６のＣ−Ｃ断面図。
【図１０】図１０は、図５のＧ矢視図。
【図１１】図１１は、図１０のＥ−Ｅ断面図。
【図１２】図１２は、本発明の３連構成一実施例の集成弁の外観図。
【図１３】図１３は、図１２の集成弁の断面図。
【発明を実施するための形態】
【００３０】
実施例一
【００３１】
洗剤投入制御器は、図１のように、主配管１と、主配管の一端の液流の入口１０１と、主配管の他端の洗浄槽給水口に連接する出口１０２を有し、弁Ａ２と、弁Ｂ３と、弁Ｃ４と、弁Ｄ５と、ポンプ６とノズル７とから構成され、該弁Ａの入口が該主配管の側口Ａａと通連し、該弁Ｂの入口が洗剤Ａの液貯蔵箱と通連し、該弁Ａと該弁Ｂの出口が該弁Ｃの入口と通連し、該弁Ｄの入口が洗剤Ｂの液貯蔵箱と通連し、該弁Ｃと該弁Ｄの出口が該ポンプの入口６０１と通連し、該ポンプの出口６０２が主配管の側口Ｂｂと通連し、該主配管の側口Ａと側口Ｂの相対位置は、側口Ａが該主配管の入口１０１に近く、側口Ｂが該主配管の出口１０２に近く、該ノズル入口の口径が小さく、ノズル出口の口径が大きく、該ノズルは該主配管の側口Ａと側口Ｂの間に連結し、該ノズルの入口が該主配管の入口に向かい、該ノズルの出口が該主配管の出口に向かう。
【００３２】
弁Ｂ３と弁Ｃ４が開、弁Ａ２と弁Ｄ５が閉の時、ポンプ６が起動し、洗剤Ａは主配管まで吸い込まれる。弁Ａと弁Ｄが開、弁Ｂ３と弁Ｃ４が閉の時、ポンプが起動され、洗剤Ｂは主配管まで吸い込まれる。弁Ｂと弁Ｄの開の時間は制御が可能であり、即ち、洗剤の投入量は制御が可能となる。
【００３３】
弁Ａ２と弁Ｃ４が開、弁Ｂ３と弁Ｄ５が閉の時、主配管の入口１０１が水源と接続した場合、ノズル７の作用で、側口Ａａの水圧が側口Ｂｂの水圧より高く、その為、側口Ａから入って側口Ｂから出る側路が自動にできて、側路を綺麗に洗い流す。
【００３４】
実施例二
【００３５】
本例の洗剤投入制御器は、主配管１と、主配管の一端の液流の入口１０１と、主配管の他端の洗浄槽の給水口連接の出口１０２とを備え、図３と図４に示した該集成弁は、包括入口Ａ２０１と弁座Ａ２０２の弁Ａと、包括入口Ｂ３０１と弁座Ｂ３０２の弁Ｂと、包括入口Ｃ４０１と弁座Ｃ４０２の弁Ｃと、包括入口Ｄ５０１と弁座Ｄ５０２の弁Ｄとを有し、該集成弁は空間一１０と空間二１４を有し、該弁座Ａが開の状態で該空間一と入口Ａ２０１と通連し、該弁座Ｃが開状態で該空間一と該空間二は通連し、該空間二は出口１４０１を有し、入口Ａと主配管の側口Ａを通連し、空間二の出口１４０１と主配管の側口Ｂｂを通連し、側口Ａは入口１０１方向に近く、側口Ｂは出口１０２方向に近く、主配管の側口Ａと側口Ｂとの間にノズルを設け、該ノズルの入口が該主配管の入口に向かい、該ノズルの出口が該主配管の出口に向かい、該集成弁は電磁弁組一と電磁弁組二で構成し、該電磁弁組一は電磁巻線一１３を有し、電磁巻線一内のポールピース内にアマチュア一１２を設置し、アマチュア一の先端にアマチュアシート一１１を設け、該電磁弁組二は電磁巻線二１７を有し、該電磁巻線二内のポールピース内にアマチュア二１６を設置し、アマチュア二の先端にアマチュアシート二１５を設ける。
【００３６】
該弁Ａと該弁Ｂが該電磁弁組一に対応し、該弁座Ａ２０２と該弁座Ｂ３０２が該集成弁の空間一１０の内部に設け同じ軸線で一定距離に対向し設置しており、該電磁弁組一の該アマチュアシート一が該弁座Ａと該弁座Ｂと該一定距離内にあり、しかも通常状態では該アマチュアシート一が該弁座Ｂを閉、該弁座Ａを開とし、該状態は電磁巻線一が無通電状態である。
【００３７】
該弁Ｃと該弁Ｄが該電磁弁組二に対応し、該弁座Ｃ４０２と該弁座Ｄ５０２が該集成弁の空間二１４の内部に設け同じ軸線で一定距離に対向し設置しており、該電磁弁組二の該アマチュアシート二が該弁座Ｃと該弁座Ｄと該一定距離内にあり、しかも通常状態では該アマチュアシート二が該弁座Ｄを閉、該弁座Ｃを開とし、該状態は電磁巻線二が無通電状態である。
【００３８】
本例中該弁Ａと該弁Ｂが連動し、該弁Ｃと該弁Ｄが連動する。該電磁巻線一１３が無通電時、該アマチュア一１２がその後ろにあるスプリングの作用で伸ばされ、該アマチュアシート一１１は該弁Ｂ座３０２を閉、該弁座Ａ２０２を開とし、入口Ａ２０１は空間一と通連し、同様に、該電磁巻線二１７が無通電時、該アマチュア二１６がその後ろにあるスプリングの作用で伸びされ、該アマチュアシート二１５は該弁座Ｄ５０２を閉、該弁座Ｃ４０２を開とし、空間一１０は空間二１４と通連する。上記の状態に続いて、該電磁巻線一に通電し、該アマチュア一が吸引され、該アマチュアシート一１１が該弁座Ａ２０２を閉、該弁座Ｂ３０２を開とし、洗剤Ａの投入が実現する。同様に、該電磁巻線二に通電し、洗剤Ｂの投入が実現する。
【００３９】
本例中、弁Ａと弁Ｂは連動構造で、弁Ｃと弁Ｄは連動構造であり、弁座Ａと、弁座Ｂと、弁座Ｃと、弁座Ｄの閉或いは開は、それぞれ弁Ａと、弁Ｂと、弁Ｃと、弁Ｄの閉或いは開となる。
【００４０】
弁Ａが開の時、弁Ｂは必ず閉となり、弁Ａが閉の時、弁Ｂは必ず開となる。同様に、弁Ｃが開の時、弁Ｄは必ず閉となり、弁Ｃが閉の時、弁Ｄは必ず開となる。
【００４１】
弁Ａが閉になると、弁Ｂは開となり、弁Ｃが開になると、弁Ｄは閉となり、ポンプが起動し、洗剤Ａは主配管まで吸い込まれる。弁Ａが開になると、弁Ｂは閉となり、弁Ｃが閉になると、弁Ｄは開となり、ポンプが起動し、洗剤Ｂは主配管まで吸い込まれる。弁Ｂと弁Ｄの開の時間は制御でき、すなわち洗剤の投入量が制御できる。
【００４２】
弁Ａと弁Ｃが開になると、弁Ｂと弁Ｄは閉となり、主配管の入口が水源と接続され、ノズルの作用で、側口Ａの水圧が側口Ｂの水圧より高いので、従って、側口Ａから流入し、側口Ｂから流出する側路水流が自然に形成され、側路を綺麗に洗い流す。
【００４３】
実施例三
【００４４】
本実施例の洗剤投入制御器は、図５−図１１のように、集成体を設け、該集成体の上部右側に主配管を設け、主配管の一端の液流の入口１０１と、別の一端の出口１０２と、集成体上部左側に設けたモータ６０１のポンプ６と、集成体下部に設けた包括入口Ａ２０１と弁座Ａ２０２の弁Ａと、包括入口Ｂ３０１と弁座Ｂ３０２の弁Ｂと、包括入口Ｃ４０１と弁座Ｃ４０２の弁Ｃと、包括入口Ｄ５０１と弁座Ｄ５０２の弁Ｄと、該集成体の下部に具備した空間一１０と空間二１４と、入口Ａ２０１は主通路の側口Ａａに通連し、弁座Ａが開状態の空間一は入口Ａ２０１と通連し、弁座Ｃが開状態の空間一と空間二は通連し、空間二は出口１４０１を有し、該出口はポンプの入口６０１と通連し、ポンプの出口６０２は主配管の側口Ｂｂと通連し、側口Ａは該主通路の入口方向に近く、側口Ｂは出口方向に近く、主配管の内の側口Ａと側口Ｂの間にノズルを接続し、該ノズルの入口が該主配管の入口に向かい、該ノズルの出口が該主配管の出口に向かい、該集成体は下部に電磁弁組一と電磁弁組二で設け、該電磁弁組一は電磁巻線一１３を有し、該電磁巻線一のポールピース内にアマチュア一１２を設置し、該アマチュア一の先端にアマチュアシート一１１を設け、該電磁弁組二は電磁巻線二１７を有し、該電磁巻線二のポールピース内にアマチュア二１６を設置し、アマチュア二の先端にアマチュアシート二１５を設ける。
【００４５】
該弁Ａと該弁Ｂが該電磁弁組一に対応し、該弁座Ａ２０２と該弁座Ｂ３０２が該集成弁の空間一１０の内部に設け同じ軸線で一定距離に対向し設置しており、該電磁弁組一の該アマチュアシート一が該弁座Ａと該弁座Ｂと該一定距離内にあり、しかも通常状態では該アマチュアシート一が該弁座Ｂを閉、該弁座Ａを開とし、該状態は電磁巻線一が無通電状態である。
【００４６】
該弁Ｃと該弁Ｄが該電磁弁組二に対応し、該弁座Ｃ４０２と該弁座Ｄ５０２が該集成弁の空間二１４の内部に設け同じ軸線で一定距離に対向し設置しており、該電磁弁組二の該アマチュアシート二が該弁座Ｃと該弁座Ｄと該一定距離内にあり、しかも通常状態では該アマチュアシート二が該弁座Ｄを閉、該弁座Ｃを開とし、該状態は電磁巻線二が無通電状態である。
【００４７】
本実施例の動作状態と過程は実施例二と似ている。
【００４８】
実施例四
【００４９】
本実施例の洗剤投入制御器は、図２と、図１２と、図１３のように、主配管１と、主配管の一端の液流の入口１０１と、主配管の他端の洗浄槽の給水口連接の出口１０２とを備え、集成弁を設け、該集成弁は包括弁座Ａ２０１の弁Ａと、包括弁座Ｂ３０２の弁Ｂと、包括弁座Ｃ４０２の弁Ｃと、包括弁座Ｄ５０２の弁Ｄと、包括弁座Ｅ８０２の弁Ｅと、包括弁座Ｆ９０２の弁Ｆで構成し、実施例２と比較し、本実施例は弁Ｅと、弁Ｆと、空間三と、電磁弁組三が増設され、その他の構成は実施例二と同様である。本実施例の動作状態と過程は実施例二と実施例三と同様である。
【符号の説明】
【００５０】
１  主配管、１０１  入口、１０２  出口、２  弁Ａ、２０１  入口Ａ、２０２  弁座Ａ、３  弁Ｂ、３０１  入口Ｂ、３０２  弁座Ｂ、４  弁Ｃ、４０１  入口Ｃ、４０２  弁座Ｃ、５  弁Ｄ、５０１  入口Ｄ、５０２  弁座Ｄ、６  ポンプ、６０１  ポンプの入口、６０２  ポンプの出口、７  ノズル、８０２  弁座Ｅ、９０２  弁座Ｆ、１０  空間一、１１  アマチュアシート一、１２  アマチュア一、１３  電磁巻線一、１４  空間二、１４０１  空間二の出口、１５  アマチュアシート二、１６  アマチュア二、１７  電磁巻線二、ａ  側口Ａ、ｂ  側口Ｂ
【図１】
0006360248.tif 000002
【図２】
0006360248.tif 000003
【図３】
0006360248.tif 000004
【図４】
0006360248.tif 000005
【図５】
0006360248.tif 000006
【図６】
0006360248.tif 000007
【図７】
0006360248.tif 000008
【図８】
0006360248.tif 000009
【図９】
0006360248.tif 000010
【図１０】
0006360248.tif 000011
【図１１】
0006360248.tif 000012
【図１２】
0006360248.tif 000013
【図１３】
0006360248.tif 000014